(57)【要約】【課題】第一刃体と第二刃体とをボルトとナットにより互いに回動自在に枢着した鋏の枢着構造であって、ナットに髪の絡むことの少ない枢着構造であり、補助具を用いることなく手でナットを回すことのできる枢着構造を提供することであり、強いバネの得られる枢着構造を提供することであり、また締結力の微調整が容易な枢着構造を提供することであり、更に板バネを用いることのできる枢着構造を提供すること。【解決手段】第一刃体１０側からこの第一刃体１０と第二刃体２０とに挿通されたボルト３０と、雌ネジを有する軸部４１とこの軸部４１の基端に設けられた頭部４２であってナット締めの操作に用いられる頭部４２とを有して第二刃体２０側からボルト３０に螺着させるナット４０とを備え、更に、第二刃体２０は、ナット４０の軸部４１を収納する有底の収納穴２１であって頭部４２だけが収納穴２１の外に出た状態で螺合できる深さの収納穴２１を有し、且つ、頭部４２はこの頭部４２の周縁が第二刃体２０の幅からはみ出ることにより回動操作が可能となる大きさに形成されたことを特徴とする。【選択図】　図１
2004008376.tif 000002
【特許請求の範囲】
【請求項１】
第一刃体と第二刃体とをボルトとナットにより互いに回動自在に枢着した鋏の枢着構造であって、
前記第一刃体側からこの第一刃体と前記第二刃体とに挿通された前記ボルトと、雌ネジを有する軸部とこの軸部の基端に設けられた頭部であってナット締めの操作に用いられる頭部とを有して第二刃体側から前記ボルトに螺着させる前記ナットとを備え、
更に、前記第二刃体は、前記ナットの軸部を収納する有底の収納穴であって頭部だけが前記収納穴の外に出た状態で螺合できる深さの収納穴を有し、
且つ、前記頭部はこの頭部の周縁が前記第二刃体の幅からはみ出ることにより回動操作が可能となる大きさに形成されたことを特徴とする鋏の枢着構造。
【請求項２】
請求項１記載の枢着構造であって、ボルトが、ナットに対する相対的な回り止めの為の係合部を有することを特徴とする鋏の枢着構造。
【請求項３】
請求項１又は２記載の枢着構造であって、収納穴の底部と軸部先端との間に挟む皿バネを設けことを特徴とする鋏の枢着構造。
【請求項４】
請求項１〜３いずれか記載の枢着構造であって、ナットの軸部に挿通させ頭部と第二刃体表面との間に挟む板バネを設けたことを特徴とする鋏の枢着構造。
【発明の詳細な説明】
【０００１】
【発明の属する技術分野】
この発明は、鋏の枢着構造の改良に関する。
【０００２】
【従来の技術】
鋏は、図６に示す様に、第一刃体１１０と第二刃体１２０とを枢着させて成るものであるが、この枢着構造は様々である。単純にリベット状の軸をこれら２本の刃体に挿通しただけのものもある。しかし、例えば理容鋏の様なものは、使用している過程で、適宜、研ぐ必要があり、その際には２本の刃体が分解できる様にする必要である。
そのため、図６〜図８に示す様に枢着を、ボルト１３０とナット１４０で行う鋏がある。ナット１４０と刃体１１０，１２０との間には皿バネ１５０を挟み、この皿バネ１５０により２本の刃体１１０，１２０が程良い締結力で締め付けられる様になっているのである。これによれば手でナット１４０を締めて締結力の調整ができ、またナット１４０を緩めてボルト１３０を抜くことにより、２つの刃体１１０，１２０を別々に分解することができ、別々に研ぐなどすることができる。そのためこの様な鋏の枢着構造が、理容鋏の分野では広く普及している。
【０００３】
図７中の皿バネ１５０はナットの下に隠れた状態で通常は見えない状態であるが、この様な皿バネの替わりに、図９のようにナット１４０の下から大きくはみ出させた形状の板バネ１５０を用いたものもある。またこの様な板バネ１５０を用いると、皿バネとは異なるバネの特性が生かせるほかに、社名や各種マークなどの刻印をこの板バネにすることができ、製造上の工程が簡易になる。
つまり刃体に直接刻印をする場合には、刃体に焼き入れをする前でないと刻印できない事情があり、その後のメッキなどを考慮すると、刃体への直接の刻印は製造工程の面では負担であるが、その点、図９のような板バネ１５０を用いたものであると、この板バネに刻印することができ、コストや製造工程の面で有利である。また見込み生産した鋏に、その後に決まった注文主のマークを事後的に付すことが可能となり、生産、販売が行いやすくなる。
【０００４】
ただこの様な枢着構造であると、ナット１４０が手で回せる為には、図７〜図８に示されている様に、ナット１４０がある程度刃体の表面から突出て、摘み易い形状でないとならない。ところがこの様にナット１４０が摘める様に突出ていると、髪を切るときには、髪がこのナット１４０に絡むことがあり、不都合であった。
【０００５】
これに対しては、図１０、図１１に示す様に刃体１１０に収納穴１２１を設けナット１４０をこの収納穴１２１に収納させる枢着構造が考えられている。これによれば、図１１に示す様に刃体１１０からのナット１４０の突き出しが少なくする事ができ、髪の絡む問題が大幅に解消されるからである。ただナットが収納穴に収納されると手で摘み難くなる。そのため図１２に示されている様な爪のある補助具Ｘでこのナットを回す様になっている。ナットに係止溝を設けておき、ここに補助具の爪を差し込んで回すのである。
【０００６】
【発明が解決しようとする課題】
ただこの様な補助具を用いないとナットの操作ができないのは不便であり、従来通り、手で操作できることが好ましい。
【０００７】
また皿バネが収納穴に収納された配置となるために、この皿バネの大きさが収納穴の大きさに制限され、結果、皿バネを小さくしなければならない傾向にあり、これによりバネが弱くなったり、締結力の微調整ができ難いという問題がある。
【０００８】
また上述した様な板バネを用いることができないので、板バネに刻印する様な利便さが得られない。
【０００９】
以上の問題を鑑み、本願発明の目的とするところはナットに髪の絡むことの少ない鋏の枢着構造であって、補助具を用いることなく手でナットを回すことのできる枢着構造を提供することであり、強いバネの得られる枢着構造を提供することであり、また締結力の微調整が容易な枢着構造を提供することであり、更に板バネを用いることのできる枢着構造を提供することである。
【００１０】
【課題を解決するための手段と発明の効果】
以上の課題を解決するため、本願請求項１記載の発明は、第一刃体と第二刃体とをボルトとナットにより互いに回動自在に枢着した鋏の枢着構造であって、
前記第一刃体側からこの第一刃体と前記第二刃体とに挿通された前記ボルトと、雌ネジを有する軸部とこの軸部の基端に設けられた頭部であってナット締めの操作に用いられる頭部とを有して第二刃体側から前記ボルトに螺着させる前記ナットとを備え、
更に、前記第二刃体は、前記ナットの軸部を収納する有底の収納穴であって頭部だけが収納穴の外に出た状態で螺合できる深さの収納穴を有し、
且つ、前記頭部はこの頭部の周縁が前記第二刃体の幅からはみ出ることにより回動操作が可能となる大きさに形成されたことを特徴とする鋏の枢着構造である。
【００１１】
従来技術の図７〜８に示す様なナットは、摘んで回すことができる様に刃体から突き出て、摘み代を確保していたが、この様な突き出した高さのある摘み代を無くし、代わりに刃体の幅からナットの頭部をはみ出させることにより、このはみ出し部分を摘み代の役割を持たせたのである。
従って、ここで第二刃体の幅からはみ出るとは、ナットを回動操作できるための摘み代（つまり回し代）を確保することができ程度のはみ出しをいう。例えば後述する実施例の図５に示す様に、指でナットの頭部を摘む時には、刃体をも一緒に挟んでしまいがちであり、ナットと刃体の幅との大小関係によっては、ナットの回動操作の邪魔をする可能性がある。しかしこの様な場合であっても、第二刃体の幅とナットの大きさ（前記幅方向の大きさ）とが、刃体がナットの回動操作の邪魔にならない様な大小関係にあることを要件としている。
なお第二刃体の幅には、刃体の裏面幅から表側の面の幅まで様々な幅があり、一通りではない。つまり第二刃体の幅とは図５中に示された刃体断面の左右幅であるが、裏面から表の面までの間のどの部分の幅と固定的に決まるものではなく、刃体の様々な断面形状との関係において、摘み代の確保するのに必要な箇所の幅が、ナット頭部との大小関係を論ずる「第二刃体の幅」になるのである。
【００１２】
この様にナットの頭部が、第二刃体の幅からはみ出した摘み代となって回動操作することができるので、例えば従来技術の図７〜８に示したナットの様に、第二刃体の表面から突き出た形態である必要はなくなり、刃体表面にから僅かしか出ていない形態にできる。そのため髪が絡むことがない。
【００１３】
請求項２記載の発明は、請求項１記載の枢着構造において、ボルトが、ナットに対する相対的な回り止めの為の係合部を有することを特徴とする鋏の枢着構造である。
係合部はどの様に実現されてもよいが、例えばボルトの基端側を角柱状に形成して係合部を実現してもよい。この場合、ボルトを挿通させる第二刃体側の穴を、係合部に係合できる形状にしてまずボルトと第二刃体とを互いに回り止めしておき、次にこの第二刃体とナットとを所定の方法で回り止めするのである。例えば第二刃体とナットの間に挟む皿バネを、これら双方に係止できる形状にしておき、第二刃体とナットとの回り止めの働きを持たせるのである。つまりボルトの係合部により、ボルト、第二刃体、皿バネ、ナットがこの順に、順次、回り止めされ、結果的に、ボルトとナットの回り止めが実現できる。
或いは係合部を直接、皿バネに係合する様にしておき、この皿バネを締め付けるナットにナットを回り止めしておくことにより、ボルトとナットの回り止めが実現できる。その他どの様な方法により回り止めを実現してもよい。
これにより、請求項１記載の枢着構造において、ボルトとナットの緩まない枢着構造が実現できる。
【００１４】
請求項３記載の発明は、請求項１又は２記載の枢着構造において、収納穴の底部と軸部先端との間に挟む皿バネを設けたことを特徴とする鋏の枢着構造である。皿バネは円板状のバネ材にナットを挿通させる穴を貫通させてあり、底部と軸部先端とに挟まれるとこれに反発する付勢を有する様にする様に板面が凹曲させてある。
これにより、請求項１又は２記載の枢着構造において、適宜な締結力を得ることができる。
【００１５】
請求項４記載の発明は、請求項１〜３いずれか記載の枢着構造において、ナットの軸部に挿通させ頭部と第二刃体表面との間に挟む板バネを設けたことを特徴とする鋏の枢着構造である。ここで板バネとは、長手な板状のバネ材にナットの軸部を通す穴が設けられ、ナットの頭部から長手部分が長くはみ出る形状のものをいう。
これにより、請求項１〜３いずれか記載の枢着構造において、適宜な締結力を得ることができる。また皿バネと共に板バネを備えることができ、強い締結力の実現が可能となる。さらに、ナットを第二刃体に収納させながらも、板バネを用いることができるので、これに刻印することができる。
【００１６】
【発明の実施の形態】
次に本願発明の枢着構造の実施例を説明する。
この実施例は、図１〜図３に示す様に、第一刃体１０と第二刃体２０とをボルト３０とナット４０により互いに回動自在に枢着した鋏の枢着構造である。
ボルト３０は基端側が四角柱に形成された係止部３１になっており、先端側が雄ネジ３２になっている。またナット４０は、雌ネジを有する軸部４１と、この軸部の基端に設けられた頭部４２であってナット締めの操作に用いられる薄い平円板状の頭部４２とを有している。そして、第一刃体１０側から、この第一刃体１０と第二刃体２０と皿バネ５０と板バネ６０とがこの順で重合されて、第一刃体１０側から挿通したボルト３０に、板バネ６０側から宛われたナット４０を螺合させることにより、枢着されている。
ナット４０の軸部先端４３には、後述する回り止めの為の凹凸部４４が、先端面の円周上に設けられている。
【００１７】
第二刃体２０の枢着箇所には、ナット４０の軸部４１を収納する円形の収納穴２１が凹設され、ナット４０の頭部だけが収納穴２１の外に出た状態で螺合できる深さに形成されている。また収納穴２１の底部２２には、ボルト３０を通す枢着孔２３が、ボルト３０の係止部３１（四角柱状）が入る程度の四角い穴で貫通させてあり、これにより、第二刃体２０はボルト３０に対しては相対的に回ることのない回り止めになっている。更に第二刃体２０の表面には、後述する板バネ６０の爪部６１を係止させるための有底の係止孔２４が設けられている。
【００１８】
皿バネ５０は、第二刃体２０の収納穴２１の横断面形状とほぼ同じ大きさの円形状を成し、この皿バネの板面中央には、ボルトの係合部に対応した四角形状のボルト孔５１が貫通し、収納穴２１の底部２２に配置されている。そしてボルト孔５１にボルトの係合部が挿通させるので、皿バネ５０はボルト３０に対しては相対的な回り止めとなっている。つまり先の第二刃体２０に関する説明と併せると、第二刃体２０と皿バネ５０とはボルト３０に対しては回り止めされた状態となる。この様な皿バネ５０が、収納穴２１の底部２２と軸部先端４３との間に挟まれるようになっており、ナット４０をボルト３０に螺合させて表裏から挟まれた皿バネ５０は、バネとして機能する様に、その板面が凹曲させてある。
また皿バネ５０は、ナット４０の軸部先端４３に当接する箇所には、凸部５２がプレス成形してあり、この凸部５２が軸部先端４３の凹凸部４４に締め付けられ、皿バネ５０とナット４０の相対的な回り止めとなっている。この様にボルト３０と皿バネ５０が回り止めされ、更に皿バネ５０とナット４０が回り止めされているので、結局、ボルト３０とナット４０は回り止めされた状態となっている。
【００１９】
板バネ６０は、長手な板状のバネ材で、長手の一端側には、ナット４０の軸部４１を通すための軸穴６２が、収納穴２１とほぼ同じ大きさに形成されている。また他端側には折り曲げ形成した爪部６１が延設されている。そして軸穴６２を収納穴２１に重ねた状態で、板バネ６０の長手を鋏の長手に揃えると、板バネ６０の係止爪６１が、第二刃体２０の係止孔２４に係止する様になっている。そしてナット４０の軸部４１を軸穴６２越しに、収納穴２１に挿し込み、ナット４０をボルト３０に螺合させる様になっている。その結果、板バネ６０は第二刃体２０表面とナット頭部４２とに挟まれた状態となり、板バネの一端側は（ナットの）頭部の下に隠れるが、他端側が頭部４２の下からから延び出る状態となっている。また頭部周縁４５には、この周縁４５を摘んで回しやすい様に、凹凸の縦筋が滑止め部４６として刻設されている。
【００２０】
この様な枢着構造を有する鋏は、頭部４２が第二刃体２０の表面からほとんど突き出ていないので、髪の絡むことが非常に少なく、また頭部４２が第二刃体２０の幅からはみ出しもナット４０を回動操作できる程度でいいので、図４〜図５に示す様に僅かなはみ出しでも、回動操作には十分機能し、例えば０．４〜０．８ｍｍの程度のはみ出しでも、頭部周縁４５の滑止め部４６に指先が十分引っ掛かることができ、ナット４０の回動操作が確実に行える。またその程度のはみ出しは、髪の絡みにはほとんど影響がない。
【００２１】
また従来技術の図９〜１０に示した様な枢着構造であると、収納穴１２１にナット１４０を収納するので第二刃体２０の表面に挟むタイプの板ネジ１６０を用いることができなかったが、本願発明によれば、収納穴にナットを収納させながらも板ネジを用いることができる。またこれにより、板ネジに刻印をすることができ、刃体に直接刻印する場合に比べ、コスト、工程の面で優れる。例えば、同一の鋏であっても、板バネの刻印さえ交換すれば、様々な刻印の鋏に使い分けることができる。よって、見込み生産をしておいた鋏でも、その後に受注した注文主の刻印の板バネさえ準備すれば、当該注文主の刻印を付した鋏が完成するのである。
なお、板バネの替わりに同形状の単なるプレートを用いてもよく、この場合は請求項１〜２記載の発明に該当する。
【００２２】
また皿バネと板バネを併用することができるので、強バネが実現でき、またバネの微調整もきめ細かく行うことができる。
【００２３】
更にはこれらナットの締め付け、外しなどの操作は手で直接行うことができ、図１１に示した様な補助具その他の道具は必要ないので、この点でも便利である。
【図面の簡単な説明】
【図１】この図は、実施例に示した枢着構造の分解斜視図である。
【図２】この図は、第一刃体と第二刃体を図４に示すＡ−Ａ断面で切り欠いた切り欠き図である。
【図３】この図は、図２において、更にナットをＡ−Ａ断面で切り欠いた切り欠き図である。
【図４】この図は、図１の分解された枢着構造を組み立てた状態の図である。
【図５】この図は、図４のＢ−Ｂ断面で第一刃体と第二刃体を切り欠き、頭部は切り欠かないで示した説明図であり、第一刃体と第二刃体は断面の外形形状だけを示し、また板バネは省略して示してある。
【図６】この図は、従来の鋏の図である。
【図７】この図は、従来の枢着構造の分解図である。
【図８】この図は、図７の枢着構造の説明図である。
【図９】この図は、別の枢着構造の説明図である。
【図１０】この図は、更に別の枢着構造の段階図である。
【図１１】この図は、図１０の枢着構造の説明図である。
【図１２】この図は、図７中に示されているナットを回すための補助具の説明図である。
【符号の説明】
１０　第一刃体
２０　第二刃体
２１　収納穴
２２　底部
２３　枢着孔
３０　ボルト
３１　係合部
３２　雄ネジ
４０　ナット
４１　軸部
４２　頭部
５０　皿バネ
５１　ボルト孔
６０　板バネ
６１　爪部
６２　軸穴
【図１】
2004008376.tif 000003
【図２】
2004008376.tif 000004
【図３】
2004008376.tif 000005
【図４】
2004008376.tif 000006
【図５】
2004008376.tif 000007
【図６】
2004008376.tif 000008
【図７】
2004008376.tif 000009
【図８】
2004008376.tif 000010
【図９】
2004008376.tif 000011
【図１０】
2004008376.tif 000012
【図１１】
2004008376.tif 000013
【図１２】
2004008376.tif 000014